(57)【要約】【課題】シール作用を発揮できる水洗式電気かみそりを提供する。【解決手段】上端に組付口２が開口する本体ケース１と、組付口２の側から本体ケース1 に内装されるかみそりユニット３とを備えている。かみそりユニット３は、シャーシユニット１０と、ヘッドユニット１１とで構成されている。シャーシユニット１０とヘッドユニット１１とは、上下に接合されて固定されている。シャーシユニット１０とヘッドユニット１１との間に第1 防水シール７０を設け、モータ１２の出力軸１２ａのまわりとヘッドユニット１１との間の隙間を封止するとともに、シャーシユニット１０とヘッドユニット１１との接合部分の周縁に第２防水シール７１を設け、かみそりユニット３を本体ケース１に装填固定した状態において、本体ケース１とかみそりユニット３との間の隙間が、第２防水シール７１の周縁部で封止されている。【選択図】図１
2007275621.tif 000002
【特許請求の範囲】
【請求項１】
少なくとも上端に組付口（２）が開口する本体ケース（１）と、組付口（２）の側から本体ケース（1） に内装されるかみそりユニット（３）とを備えており、
かみそりユニット（３）は、シャーシユニット（１０）と、ヘッドユニット（１１）とで構成されており、
シャーシユニット（１０）は、モータ（１２）と、モータ（１２）を収容可能なモータ収容部（２２）を備えた主フレーム（２３）を含み、
ヘッドユニット（１１）は、ベース（３０）と、ベース（３０）の上方に位置する逆門形のヘッドフレーム（２９）と、ヘッドフレーム（２９）で前後揺動可能に支持される首振りフレーム（３１）と、首振りフレーム（３１）に組まれる内刃（１５）及び外刃（１６）を含み、
シャーシユニット（１０）とヘッドユニット（１１）とは、上下に接合されて固定されており、
シャーシユニット（１０）とヘッドユニット（１１）との間に第1 防水シール（７０）を設け、モータ（１２）の出力軸（１２ａ）のまわりとヘッドユニット（１１）との間の隙間を封止するとともに、
シャーシユニット（１０）とヘッドユニット（１１）との接合部分の周縁に第２防水シール（７１）を設け、かみそりユニット（３）を本体ケース（１）に装填固定した状態において、本体ケース（１）とかみそりユニット（３）との間の隙間が、第２防水シール（７１）の周縁部で封止されている水洗式の電気かみそり。
【発明の詳細な説明】
【技術分野】
【０００１】
本発明は、水洗式の電気かみそりに関する。
【背景技術】
【０００２】
この種の電気かみそりは、例えば特許文献１に公知である。そこでは、水洗い時の水の侵入を防ぐために、ケースと刃物取付台との間にシールゴムを介装し、さらに、刃物取付台と押え板との間に別のシールゴムを介装している。
【０００３】
本発明に関して、２個の内刃を内蔵するヘッドが首振り可能に構成してある電気かみそりは、特許文献２に公知である。この電気かみそりにおいては、本体ケースとヘッドケースとの間にシールゴムを設けているが、このシールは毛屑等が本体ケースへ侵入するのを防ぐために設けてあって、水洗いすることを意図したものではない。
【０００４】
【特許文献１】特公昭６２−５８７５５号公報
【特許文献２】特開平９−３８３５４号公報
【発明の開示】
【発明が解決しようとする課題】
【０００５】
上記従来例の電気かみそりでは、モータの出力軸にシールゴムが設けられていない。
【課題を解決するための手段】
【０００６】
本発明の電気かみそりは、図２に示すように、少なくとも上端に組付口２が開口する本体ケース１と、組付口２の側から本体ケース1 に内装されるかみそりユニット３とを備えている。かみそりユニット３は、シャーシユニット１０と、ヘッドユニット１１とで構成されており、シャーシユニット１０は、モータ１２と、モータ１２を収容可能なモータ収容部２２を備えた主フレーム２３を含み、ヘッドユニット１１は、ベース３０と、ベース３０の上方に位置する逆門形のヘッドフレーム２９と、ヘッドフレーム２９で前後揺動可能に支持される首振りフレーム３１と、首振りフレーム３１に組まれる内刃１５及び外刃１６を含んでいる。シャーシユニット１０とヘッドユニット１１とは、上下に接合されて固定されている。シャーシユニット１０とヘッドユニット１１との間に第1 防水シール７０を設け、モータ１２の出力軸１２ａのまわりとヘッドユニット１１との間の隙間を封止するとともに、シャーシユニット１０とヘッドユニット１１との接合部分の周縁に第２防水シール７１を設け、かみそりユニット３を本体ケース１に装填固定した状態において、本体ケース１とかみそりユニット３との間の隙間が、第２防水シール７１の周縁部で封止されている。
【発明の効果】
【０００７】
ヘッドユニット１１とシャーシユニット１０とを組み合わせた構造体を本体ケース１の上方から組み込み挿着することで、第1 防水シール７０及び第２防水シール７１による防水を図ることができる。
【発明を実施するための最良の形態】
【０００８】
図１ないし図１３は本発明に係るロータリ式の電気かみそりに適用した実施例を示す。図２において電気かみそりは、上面および下面が開口する筒状の本体ケース１を有し、上側の組付口２の側からかみそりユニット３をケース内へ組み、本体ケース１の外面の前後に、モータ起動用のスイッチノブ４と、きわ剃り刃を起伏操作する切換ノブ５とを配置し、本体ケース１の一側に首振りロック用のロックノブ６などを設けてなる。本体ケース１の下側の組付口７には、充電用の底ケース８が組付けられる。
【０００９】
（かみそりユニット）図３において、かみそりユニット３は、シャーシユニット１０とヘッドユニット１１とに大別され、シャーシユニット１０の側にモータ１２、電池（二次電池）１３および回路基板１４等の電気部品を集約配置し、ヘッドユニット１１の側に回転内刃（内刃）１５、外刃１６（図２参照）およびモータ１２の動力を回転内刃１５に伝える伝動機構１７（図４参照）と、きわ剃り刃系の伝動機構１８と、センター刃系の伝動機構１９を集約配置する。
【００１０】
（シャーシユニット）図３において、シャーシユニット１０は、下半側に電池１３用の装填凹部２１を有し、上側にモータ収容部２２を備えた主フレーム２３と、モータ１２が装填保持されるモータケース２４とで構成する。モータケース２４はモータ収容部２２で上下遊動可能に支持されて、主フレーム２３とモータケース２４との間に介装した圧縮コイル形のばね２５で浮力支持されている。モータケース２４に一体に設けた４個の係合爪２６を主フレーム２３側の係合部に係合することにより、モータケース２４の上方への浮動限界を規定し、その抜け出しを防止している。このように、モータケース２４を浮動支持するのは、使用時のヘッドユニット１１の上下動を許して、肌当たりを柔らかにし、さらに肌面への追従を確実なものとするためである。
【００１１】
（ヘッドユニット）ヘッドユニット１１は、下面側にギヤ室２８を有する逆門形のヘッドフレーム２９と、ギヤ室２８の底部開口を塞ぐベース３０と、ヘッドフレーム２９で前後揺動可能に支持される首振りフレーム３１などを基体にして、これらに内刃１５、外刃１６および各伝動機構１７〜１９等を組む。
【００１２】
（内刃伝動系）図４において回転内刃１５用の伝動機構１７は、先の図３に示すギヤ室２８に収容されてモータ１２の動力を減速するギヤ群Ｇ１〜Ｇ３と、ヘッドフレーム２９の一側に配置されるギヤ群Ｇ４〜Ｇ６と、首振りフレーム３１の側に配置されて、後者ギヤ群の終段ギヤＧ６の回転力を一対の回転内刃１５に伝えるギヤ群Ｇ７〜Ｇ９などで構成する。ギヤ室２８内のギヤ群Ｇ１〜Ｇ３のうち、第１段目のギヤＧ１は内歯ギヤを備えており、この内歯ギヤにモータ１２の出力軸１２ａに固定した原動ギヤＧ２０を噛合させる。原動ギヤＧ２０と内歯ギヤとによって、モータ１２の回転数（８０００〜９０００ｒｐｍ）は、一挙に駆動時における回転内刃１５の回転数とほぼ同じ回転数である２５００〜３０００ｒｐｍに減速される。従って、複数の減速ギヤによって段階的にかつ徐々に減速される従来のロータリ式電気かみそりに比べて、使用時の振動を減少し、静音化できる。手ぶれも生じにくい。なお、ギヤ室２８内のギヤ群の終段ギヤＧ３と、次段のギヤＧ４とは、後者ギヤＧ４の側面に突設したフェースギヤ歯を介して、回転方向を直交状に変換する。
【００１３】
（きわ剃り伝動系）先のギヤＧ１は、きわ剃り刃の伝動機構１８とセンター刃系の伝動機構１９の駆動ギヤとを兼ねており、その上部に前者の伝動機構１８用の偏心カム３３と、後者の伝動機構１９用の偏心ピン３４とが一体に設けてある（図４参照）。図５に示すように偏心カム３３は、ギヤ室２８の上壁上面に配置した振動子３５を往復駆動して、バリカン式のきわ剃り刃ユニット３６を駆動する。この振動子３５は一端が軸支され、他端に二又状の連続部３７を有する。きわ剃り刃ユニット３６は切換ノブ５の上部に装着されていて、切換ノブ５を下方の待機位置から上方にスライド操作すると、想像線で示すようにユニット３６の全体が軸３８を中心にして跳ね上がり揺動し、その可動刃に固定した受動片９９が連結部３７と係合して、振動子３５の往復動作を受け継ぐように構成してある。
【００１４】
（首振り機構及びセンター刃駆動系）図３において首振りフレーム３１は、逆門形の上フレーム４１と、上フレーム４１に下面側から被さる状態で圧嵌係合される下フレーム４２と、下フレーム４２の上面開口を塞ぐ蓋体４６（図５参照）とからなり、上フレーム４１の両側壁の上部前後に、先の回転内刃１５が回転自在に軸支してある。下フレーム４２はヘッドフレーム２９の上端において軸支される軸４３を中心にして前後揺動でき、これにより首振りフレーム３１の首振り動作が可能になっている。上フレーム４１と下フレーム４２との間の室の内部に、センター刃４８（図５参照）を左右に往復操作する第２の振動子４４を設け（図４参照）、これを先に説明した偏心ピン３４で往復駆動できるようにしている。図４に示す偏心ピン３４と係合する受動溝４５は、首振りフレーム３１の前後揺動範囲に対応して前後に長い弧状溝で形成してある（図５参照）。
【００１５】
（センター刃）図４および図５において首振りフレーム３１に外嵌装着される外刃ホルダー４７に、各回転内刃１５用の外刃１６を装着し、さらに両外刃１６・１６の間にセンター刃４８を設ける。センター刃４８は、それぞれ櫛刃状に形成される外側の固定刃４９と、内側を往復スライドする可動刃５０とを一個のユニット部品としてまとめて構成したものである。外刃ホルダー４７を首振りフレーム３１に装着した状態において、可動刃５０の下部に設けた連結片５１が、先の振動子４４の上面に突設した駆動軸５２と係合して、振動子４４の往復動作を受け継ぐようになっている。従って、駆動時における回転内刃１５の回転数とセンター刃４８の往復振動数とは、ほぼ同等の２５００〜３０００回／分で駆動されることとなる。駆動軸５２と上フレーム４１との間の隙間は、毛屑の侵入を防ぐゴムパッキン５３でシールしてある。
【００１６】
（首振りロック）図６に示すように、首振りフレーム３１の首振り動作を規制するためにロックノブ６を設けている。ロックノブ６の内面上部には、ロック棒５４が突設してある。このロック棒５４の上端はヘッドフレーム２９を上下に貫通して、首振りフレーム３１の下面に臨んでいる。従って、ロックノブ６を下方の待機位置から上方へスライド操作すると、ロック棒５４が下フレーム４２の側壁下部に設けた係合溝５８に接当係合して、前後揺動を規制できる。
【００１７】
（外刃ホルダー用のロック及び安全スイッチ）外刃ホルダー４７を首振りフレーム３１から取り外すと、２個の回転内刃１５が剥き出しになり、この状態でスイッチノブ４をオン操作すると、回転内刃１５が駆動されて危険である。こうした事態を避けるために、図７に示すように、首振りフレーム３１の内部にロックピース５５を配置し、ヘッドフレーム２９のサイドカバーに装着したロック解除用のボタン５６でロックピース５５をロック解除操作できるようにしている。さらに外刃ホルダー４７の取り外し動作に連動して、モータ１２（図４参照）への通電を阻止する安全スイッチ５７を先のモータケース２４に配置している。
【００１８】
（ロックピース）図８においてロックピース５５は、中途部に薄肉ヒンジ部５９を備えた弾性枠６０と、弾性枠６０の両側端に設けた一対の爪腕６１とを備えており、爪腕６１の外側面の前後に合計４個のロック爪６２を突設してなる。先のボタン５６をばねの付勢力に抗して押し込み操作すると、その操作ピン６３が首振りフレーム３１（図３参照）の側壁に通設したピン穴を介してフレーム内へ進入し、一方の爪腕６１を押し込み操作する。これにより、押し込み操作された側の２個のロック爪６２と外刃ホルダー４７との係合が解除される。このとき、弾性枠６０の山形の側短部６０ａが首振りフレーム３１の内部壁面によって受け止められているので、弾性枠６０は薄肉ヒンジ部５９の部分において屈曲し、その結果他方の爪腕６１がボタン５６の押し込み方向とは逆向きに引き寄せられ、その側面に設けたロック爪６２と外刃ホルダー４７との係合が解除される。
【００１９】
（安全スイッチ）回路中の電池１３（図３参照）とモータ１２との間には、オン・オフ制御用の電源スイッチとは別に、図７に示すように安全スイッチ５７が直列に配されている。図７において安全スイッチ５７は、ギヤ室２８内に組付けた動作中継用の中継ピース６５と、首振りフレーム３１の側面に上下スライド自在に装着した連動ピース６６との動作によって切り換え操作される。中継ピース６５はばね６７で上向きに押し上げ付勢されていて、その上端が連動ピース６６の下面に常に接当している。また連動ピース６６は、外刃ホルダー４７の側壁下端で受け止められて、上方へのスライドが規制されている。従って、外刃ホルダー４７を首振りフレーム３１から取り外すと、図６に示すように連動ピース６６および中継ピース６５はそれぞれ上方スライドし、その結果、安全スイッチ５７がオン状態からオフ状態へ切り換わる。符号６８はベース３０の底壁を貫通して、安全スイッチ５７と上下に対向する切換片である。
【００２０】
（防水シール）上記のように構成したヘッドユニット１１を水洗い可能とするために、図１に示すようにモータ１２の出力軸１２ａのまわりとベース３０との間に第１防水シール７０を設けて、洗浄水がモータ１２およびモータケース２４の側へ浸入するのを防いでいる。さらに、ベース３０の下面（接合面）とシャーシユニット１０の上部周縁との間に第２防水シール７１を設けて、洗浄水が主フレーム２３、モータケース２４および本体ケース１の内部へ浸入するのを防いでいる。
【００２１】
（第１防水シール）図９において第１防水シール７０は、ゴムまたは合成ゴム製の円形キャップ状の成形パッキンからなり、モータ１２のボス部に外嵌する周側壁７２と、断面波形の上壁７３とを有する。上壁７３の中央にシール孔７４を通設し、シール孔７４の内面に出力軸１２ａと密着するリップを設ける。ベース３０の下面には、モータ１２と協同して第１防水シール７０を挟持保持する装填凹部７５が設けてある。
【００２２】
（第２防水シール）図１０において第２防水シール７１は、ゴムまたは合成ゴム製の成形パッキンからなり、モータケース２４とベース３０との間の隙間を封止する上側シール部７７と、本体ケース１と主フレーム２３との間の隙間を封止する周縁シール部７８と、両シール部７７・７８を接続する膜壁７９とでキャップ状に形成してある。第２防水シール７１を適正に位置決めし、あるいはシャーシユニット１１を本体ケース１に差し込み装填するときの周縁シール部７８のめくれやずれを防ぐために、主フレーム２３の上端に無端環状の外シール枠８１を設け、その周側面に沿って係合溝８２を周回状に凹み形成している。さらに、モータケース２４の上端に無端環状の内シール枠８３を設け、その内周面に沿って係合段部８４を周回状に形成している。周縁シール部７８の下部内縁には、係合溝８２に密着状態で内嵌するリブ８５が設けてある。上側シール部７７の下面には係合段部８４で受け止められて、内シール枠８４に密着状態で外嵌する溝８６が設けてある。
【００２３】
上記のように第１防水シール７０と第２防水シール７１をシャーシユニット１０の側に組んだ後、ベース３０をモータケース２４に組み、ビスで締結固定することにより、両シール７０・７１がベース３０とモータ１２およびモータケース２４との間に挟持固定される。なおベース３０とヘッドフレーム２９は、ギヤ室２８の上面側からねじ込まれるビスによって締結固定してある。安全スイッチ５７と切換片６８とは、第２防水シール７１の膜壁７９を介して上下に対向している( 図７参照) 。モータケース２４は主フレーム２３に対して上下遊動できる。この上下遊動を吸収するために、膜壁７９の上側シール部７７との隣接壁面を断面Ｌ字状に形成して、膜壁７９が上下方向に屈曲変形できるようにしている。
【００２４】
（第２防水シールと本体ケースの関係）シャーシユニット１０を本体ケース１に差し込み装填し、先の周縁シール部７８をケース内面に密着させることにより、両者１０・１の間の隙間を封止する。この封止作用を確実なものとし、同時に組み込みを容易化するために、本体ケース１の組付口２の内面を下すぼまりテーパー状に形成し、その下端に下り傾斜するシール面壁９０を設けている。このように、下り傾斜状のシール面壁９０を設けると、図１１に示すように、底ケース８の下面側からビス９１を主フレーム２３の下端のねじボスにねじ込むことにより、主フレーム２３と本体ケース１とが分離不能に固定されるとともに、本体ケース１のシール面壁に対して周縁シール部７８の圧着力が締め込めば締め込むほど強化されて密着性が向上する。洗浄水が底ケース８と本体ケース１との接合面からケース内部へ浸入するのを防ぐために、両者１・８の接合面間に成形パッキンからなるプラグシール９２を挟持固定する。また、先のねじボスと底ケース８との接合面の間にはシールリング９３を挟持固定する。
【００２５】
（スイッチノブおよびガス抜き口）図２に示すように、スイッチノブ４は、ケース外面に固定した化粧枠９４で上下スライド可能に支持する。スイッチノブ４の板面中央にはロックボタン９５を設けてあり、このボタン９５を押し込んだ状態でのみ、スイッチノブ４を上方スライドしてオン操作できる。スイッチノブ４のスライド動作は、化粧枠９４の内面に設けた連動ピースと、本体ケース１に設けた切換片とを介して接続端子へ伝えられる。本体ケース１の周壁を内外に貫通する切換片の軸部にも、防水用のオイルリングが挟持固定してある。ケース本体１の下部一側には、図１１に示すように、電池１３への過充電等の異常充電時に生じるおそれのある水素ガスを放出するガス抜き口１００が開口してある。このガス抜き口１００は、ガスの通過のみを許し、水分の通過を許さない分離シート１０１で塞いであり、その外面周縁とパッキン押え１０２との間がオイルリング１０３で封止されている。パッキン押え１０２は本体ケース１に圧嵌装着する。
【００２６】
（水洗い方式）ヘッドユニット１１の回転内刃１５およびその周辺を洗浄する場合には、外刃ホルダー４７を取外して安全スイッチ５７をオフ状態にし、流水を回転内刃１５に流し掛ける。あるいは、外刃ホルダー４７に換えて、図１２に示す洗浄ブラシ１０４を内蔵する洗浄ケース１０５を首振りフレーム３１に装着して、流水を流し掛けながら洗浄を行う。この場合には、安全スイッチ５７がオン状態に切り換わるので、スイッチノブ４をオン操作して、回転内刃１５を回転駆動しながら洗浄を行える。洗浄ブラシ１０４は一部スリップしながら回転内刃１５と連れ回り回転するので、刃底部分に付着した毛屑を確実に除去できる。
【００２７】
（排水構造）洗浄時には、ヘッドユニット１１の各部に洗浄水が入り込む。ギヤ室２８に入り込んだ洗浄水を効果的に排出するために、ベース３０の底壁の一側寄り、詳しくは中継ピース６５を配置した側の面壁前後に排水口１０６( 図５参照) を開口している。さらにベース３０の底壁の上面は、排水口１０６の側から他側端のギヤ群の側へ向かって上り傾斜させて、ギヤ室２８内に浸入した洗浄水の全てを排水口１０６から排出できるようにしている。排出口１０６から流れ出た排水は、第２防水シール７１の上面を伝いながら、切換ノブ５を配置した側のケース周壁に通設した排水通口１０７を介してケース外へ案内され、切換ノブ５と本体ケース１との間の隙間を伝ってケース下方へ流れ落ちる。
【００２８】
（充電部構造）電池１３に対する充電は、図１３に示すように、充電アダプター１０９と充電スタンド１１０とのいずれによっても行うことができる。そのために、図１３に示すように底ケース８には２通りの接続端子１１２・１１３を一対ずつ設ける。一方の接続端子１１２は底ケース８の成形時にインサート固定されて、その下端が底ケース８の下面に露出している。接続端子１１２は、充電スタンド１１０の接続端子に対応して設けてあって、後述する接続端子１１３に比べて端子間のピッチが大きい。他方の接続端子１１３は、回路基板１４（図３参照）の下端に固定されていて、底ケース８の底面に凹み形成した連結凹部１１４に突出する状態で底ケース８に挿嵌する。この接続端子１１３と底ケース８の内面壁との間には、シールリングを挟持しておく。充電アダプター１０９から導出したコネクター１１６を連結凹部１１４に差し込み係合することにより、充電アダプター１０９で変換した直流電流を電池１３に印加できる。充電スタンド１１０を使用する際には、コネクタ１１６を、充電スタンド１１０の連結凹部１１７に差し込み係合する。
【００２９】
上記のように電池１３への充電が、充電アダプター１０９と充電スタンド１１０のいずれででも行えるようにすると、例えば旅行時に電気かみそりを携行する際には、充電アダプター１０９のみを携行すればよい。また、家庭等で使用する場合には、電気かみそりを充電スタンド１１０に差し込み装填するだけで、手軽に充電を行える。充電スタンド１１０に装填した電気かみそりは、切換ノブ５の側（きわ剃り刃側）へ向かって後傾する状態で起立保持される。そのため、充電を行う直前にヘッド部の水洗いを行っていたとしても、排水は切換ノブ５の側から流下するので、排水液がスタンド前面側へ流れ落ちるのを防止できる。
【００３０】
（別の実施形態）ロータリ式の電気かみそりとしては、１個の回転内刃１５を備えているもの、１個の回転内刃１５と、上記の実施例におけるセンター刃４８を隣接配置したものなどの実施形態を採ることができる。本発明は内刃１５が往復駆動される電気かみそりにも適用できる。その場合には、モータ１２の出力軸１２ａより上方に、回転運動を往復運動に変換する機構を配置する。上記の実施例における内刃１５用の伝動機構１７は、ギヤ群以外の伝動要素で構成することができる。
【図面の簡単な説明】
【００３１】
【図１】電気かみそりのシール構造を示す概略説明図である。
【図２】電気かみそりの正面図である。
【図３】かみそりユニットの分解図である。
【図４】動力伝動機構を示す説明図である。
【図５】ヘッドユニットの縦断側面図である。
【図６】首振りロック機構を示す縦断側面図である。
【図７】外刃ホルダーのロック機構とその関連部材を示す説明図である。
【図８】外刃ホルダーのロック機構の内部平面図である。
【図９】第１防水シールの断面図である。
【図１０】第２防水シールの断面図である。
【図１１】本体ケースの下部構造を示す縦断正面図である。
【図１２】洗浄ケースの断面図である。
【図１３】充電器の説明図である。
【符号の説明】
【００３２】
１ 本体ケース
２ 組付口
３ かみそりユニット
１０ シャーシユニット
１１ ヘッドユニット
１２ モータ
１２ａ 出力軸
１３ 電池
１４ 回路基板
１５ 内刃
１６ 外刃
１７ 伝動機構
７０ 第１防水シール
７１ 第２防水シール
【図１】
2007275621.tif 000003
【図２】
2007275621.tif 000004
【図３】
2007275621.tif 000005
【図４】
2007275621.tif 000006
【図５】
2007275621.tif 000007
【図６】
2007275621.tif 000008
【図７】
2007275621.tif 000009
【図８】
2007275621.tif 000010
【図９】
2007275621.tif 000011
【図１０】
2007275621.tif 000012
【図１１】
2007275621.tif 000013
【図１２】
2007275621.tif 000014
【図１３】
2007275621.tif 000015